(57)【要約】【課題】  プラント運転状態や経年による変化が生じた場合でも、アンモニア希釈ファンによる希釈空気の適正な風量を確保することができる排熱回収ボイラシステムを提供する。【解決手段】  排熱回収ボイラの排ガスに噴霧するアンモニアを供給するアンモニア噴霧ライン３と、該アンモニア噴霧ラインのアンモニアの流量を調節する流量調節弁９と、前記アンモニア噴霧ラインに希釈用空気を供給するアンモニア希釈ファン１と、該アンモニア希釈ファンの入口側に設置される入口ダンパ２と、出口側に設置される出口ダンパ８を備え、前記ボイラの排ガス圧力と前記アンモニア希釈ファンの出口空気流量に基づいて、前記入口ダンパの開度を調節する制御装置１０を有する。【選択図】  図１
2014211102.tif 000002
【特許請求の範囲】
【請求項１】
ガスタービンと、
該ガスタービンの排熱を利用して蒸気を発生させる排熱回収ボイラと、
排熱回収ボイラの排ガスに噴霧するアンモニアを供給するアンモニア噴霧ラインと、
該アンモニア噴霧ラインを流通するアンモニアの流量を調節する流量調節弁と、
前記アンモニア噴霧ラインに希釈用空気を供給するアンモニア希釈ファンと、
該アンモニア希釈ファンの入口側に設置される入口ダンパと、
前記アンモニア希釈ファンの出口側に設置される出口ダンパを備えたコンバインドサイクル発電プラントにおいて、
前記ボイラの排ガス圧力と前記アンモニア希釈ファンの出口空気流量に基づいて、前記入口ダンパの開度を調節する制御装置を備えたことを特徴とするコンバインドサイクル発電プラント。
【請求項２】
請求項１に記載のコンバインドサイクル発電プラントにおいて、
前記制御装置は、前記アンモニア希釈ファンの出口空気流量に基づく先行制御の後、排熱回収ボイラの排ガス圧力によるフィードバック制御を行うことを特徴とするコンバインドサイクル発電プラント。
【発明の詳細な説明】
【技術分野】
【０００１】
本発明は、排ガス中の窒素酸化物（ＮＯｘ）を低減するためのアンモニア希釈ファンの風量を適正化するコンバインドサイクル発電プラントに関する。
【背景技術】
【０００２】
コンバインドサイクル発電プラントにおいては、排熱回収ボイラ（HRSG）の排ガスに希釈空気との混合アンモニアを噴霧し、触媒の化学反応により窒素酸化物（ＮＯｘ）の低減を図っている。しかしながら、プラントの運転状態や経年変化の影響により、アンモニア希釈ファンより供給される希釈空気の風量が低下するため、その都度、入口ダンパの手動調整を行うことが課題となっていた。
【０００３】
なお、還元剤としてアンモニアを用いたＮＯｘ低減技術としては、例えば特許文献１，２に記載されたものが存在する。
【先行技術文献】
【特許文献】
【０００４】
【特許文献１】特開２００７−３２６０５５
【特許文献２】特開平６−１５４５５２
【発明の概要】
【発明が解決しようとする課題】
【０００５】
本発明は上述した課題に基づいてなされたもので、プラント運転状態や経年による変化が生じた場合でも、アンモニア希釈ファンによる希釈空気の適正な風量を確保することができるコンバインドサイクル発電プラントを提供することを目的とする。
【課題を解決するための手段】
【０００６】
上記目的を達成するために、本発明では、ガスタービンと、該ガスタービンの排熱を利用して蒸気を発生させる排熱回収ボイラと、排熱回収ボイラの排ガスに噴霧するアンモニアを供給するアンモニア噴霧ラインと、該アンモニア噴霧ラインを流通するアンモニアの流量を調節する流量調節弁と、前記アンモニア噴霧ラインに希釈用空気を供給するアンモニア希釈ファンと、該アンモニア希釈ファンの入口側に設置される入口ダンパと、前記アンモニア希釈ファンの出口側に設置される出口ダンパを備えたコンバインドサイクル発電プラントにおいて、前記ボイラの排ガス圧力と前記アンモニア希釈ファンの出口空気流量に基づいて、前記入口ダンパの開度を調節する制御装置を備えたことを特徴とする。
【発明の効果】
【０００７】
本発明によれば、プラント運転状態や経年による変化が生じた場合でも、アンモニア希釈ファンによる希釈空気の適正な風量を確保することができるコンバインドサイクル発電プラントを提供できる。
【図面の簡単な説明】
【０００８】
【図１】本発明に係るコンバインドサイクル発電プラントの実施形態を示す概略系統図。
【図２】本発明に係るコンバインドサイクル発電プラントの実施形態を示す制御ブロック図。
【発明を実施するための形態】
【０００９】
以下、本発明に係るコンバインドサイクル発電プラントの実施形態について、図面を用いて説明する。
【００１０】
図1は、本実施例におけるコンバインドサイクル発電プラントの概略系統図である。コンバインドサイクル発電プラントは、大別して、ガスタービン６と、このガスタービン６の排熱を利用して蒸気を発生させる排熱回収ボイラ２０と、排熱回収ボイラ２０で発生した蒸気により駆動される蒸気タービン（図示せず）により構成される。そして、排熱回収ボイラ２０には、排ガス中のＮＯｘを低減するために、排ガスに希釈空気との混合アンモニアを噴霧する噴霧装置及び脱硝装置が設けられている。脱硝装置を経由した排ガスは、ＨＲＳＧ出口ダンパ７を経由して煙突より排出される。
【００１１】
次に、本実施例において特徴となるアンモニア噴霧システムについて詳述する。アンモニア噴霧システムの系統構成は、排熱回収ボイラの排ガスに希釈空気との混合アンモニアを供給するNH3噴霧ライン３、このNH3噴霧ラインに希釈空気を供給するアンモニア希釈ファン1、アンモニアの流量を調節するNH3流量調節弁９、アンモニア希釈ファン1の入口側に設けられ吸気口より取込む希釈用空気を調節する入口ダンパ２、アンモニア希釈ファン1の出口側に設けられる出口ダンパ８を備えている。また、アンモニア噴霧システムには、アンモニア希釈ファン１（出口ダンパ８）の出口側の空気流量を計測するアンモニア希釈ファン出口空気流量計測器４、脱硝装置１５の入口側の排ガス圧力を計測するHRSG入口排ガス圧力計測器５、入口ダンパ２の開度を制御する制御装置１０を有する。
【００１２】
以上のように構成されたアンモニア噴霧システムでは、アンモニア希釈ファン出口空気流量計測器４で計測された空気流量と、HRSG入口排ガス圧力計測器５で計測された排ガス圧力に基づいて、制御装置１０より入口ダンパ２の開度指令が出力され、この開度指令に基づく入口ダンパ２の開度調整の結果、NH3噴霧ライン３に供給する希釈空気の流量を調節している。
【００１３】
図２は、アンモニア希釈ファン１の開度調節を行う制御装置の概略ブロック図である。
【００１４】
本実施形態に係るアンモニア希釈ファン入口ダンパ２は、ガスタービン６の起動初期状態及びＨＲＳG出口ダンパ７全開により規定開度まで開操作を行い、ガスタービン６の点火でアンモニア希釈ファン出口空気流量４による先行制御を開始し、ガスタービン６の燃料制御指令50%以上の運転状態においてＨＲＳＧ入口排ガス圧力５によるフィードバック制御を行い、安定風量を確保する。
【００１５】
上述したように、本実施例では入口ダンパの風量制御を自動化し、アンモニア希釈ファン出口空気流量での先行制御の後、HRSG入口排ガス圧力によるフィードバック制御を行うことにより安定風量を確保するものである。これにより、コンバインド発電プラントの安定運用が可能となる。
【符号の説明】
【００１６】
１  アンモニア希釈ファン
２  入口ダンパ
３  NH3噴霧ライン
４  アンモニア希釈ファン出口空気流量計測器
５  HRSG入口排ガス圧力計測器
６  ガスタービン
７  ＨＲＳＧ出口ダンパ
８  出口ダンパ
９  NH3流量調節弁
１０  制御装置
１５  脱硝装置
２０  排熱回収ボイラ
【図１】
2014211102.tif 000003
【図２】
2014211102.tif 000004